(57)【要約】【課題】ＲＤＳ等のデータが多重されていないアナログ放送であっても、シーク機能により所望の局にたどり着くまでの時間を短縮することができる放送受信装置を提供する。【解決手段】放送受信装置が、選局された放送局のアナログ放送波を受信するメインチューナー１と、メインチューナー１のバックグラウンドで動作して、メインチューナー１で受信可能な放送局を探索し、受信可能な放送局が検出されると探索を停止するシーク動作を行うサブチューナー２と、サブチューナー２で受信されたアナログ放送信号の変調度の変化に基づいて放送内容を分類するサブ側制御部４２と、サブチューナー２のシーク動作で検出された放送局を、サブ側制御部４２で分類された放送内容の分類ごとにメインチューナー１に選局させるメイン側制御部４１と、を備えるようにした。【選択図】図１
2015089075.tif 000002
【特許請求の範囲】
【請求項１】
選局された放送局のアナログ放送波を受信するメインチューナーと、
前記メインチューナーのバックグラウンドで動作して、前記メインチューナーで受信可能な放送局を探索し、前記受信可能な放送局が検出されると探索を停止するシーク動作を行うサブチューナーと、
前記サブチューナーで受信されたアナログ放送信号の変調度の変化に基づいて放送内容を分類するサブ側制御部と、
前記サブチューナーのシーク動作で検出された放送局を、前記サブ側制御部で分類された放送内容の分類ごとに前記メインチューナーに選局させるメイン側制御部と、を備える
ことを特徴とする放送受信装置。
【請求項２】
前記サブ側制御部は、前記サブチューナーで受信されたアナログ放送信号の受信状態に基づいて受信状態が良好な上位の放送局を選別し、
前記メイン側制御部は、前記サブ側制御部が選別した放送局を優先して前記メインチューナーに選局させることを特徴とする請求項１記載の放送受信装置。
【請求項３】
前記放送受信装置は、アナログのラジオであることを特徴とする請求項１または請求項２記載の放送受信装置。
【発明の詳細な説明】
【技術分野】
【０００１】
この発明は、曲名などのデータが多重されていないアナログ放送についての放送受信装置に関するものである。
【背景技術】
【０００２】
従来より、アナログのラジオ放送を受信する際に、放送局のチャンネルを合わせる選局の形態として、一般的に、電解強度やノイズの程度をチェックし、その局が良好に受信できる状態か否かを判断してストップするシーク（ＳＥＥＫ）機能を用いる場合と、サブチューナーによりステーションリストが作成され、ユーザがリスト内より好みの局を選択する場合とがある。
【０００３】
しかし、シーク機能を用いる前者の場合には、放送局が多い地域では、一般的に良好とされる局をすべてストップさせると、所望の局が現在受信している局よりも遠くにある場合には、好みの局に行き着くまでにシーク操作を何度も実施する必要があり、手間がかかってわずらわしいという問題があった。
【０００４】
このような問題に対処するために、ＲＤＳ（Ｒａｄｉｏ  Ｄａｔａ  Ｓｙｓｔｅｍ）等の放送局で再生中の曲名などのデータが多重されているラジオ放送受信システムの場合には、ニュースやトーク、スポーツ、音楽などのジャンルもデータとして取得することができるため、ユーザの所望するジャンルに限定してシーク機能を適用することにより、シーク操作により所望の局にたどり着くまでの時間を短縮するラジオ受信機が提案されている。（特許文献１，２等参照）
【先行技術文献】
【特許文献】
【０００５】
【特許文献１】特開平６−１７７７０９号公報
【特許文献２】特開平１０−４３６５号公報
【発明の概要】
【発明が解決しようとする課題】
【０００６】
しかしながら、例えば特許文献１，２に示すような従来のラジオ受信機では、ＲＤＳ等のデータが多重されているラジオ放送受信システムを用いているため、曲名等のデータが多重されていないアナログ信号のみのラジオ放送については、適用することができないという課題があった。
【０００７】
この発明は、上記のような課題を解決するためになされたものであり、ＲＤＳ等のデータが多重されていないアナログ放送であっても、シーク機能により所望の局にたどり着くまでの時間を短縮することができる放送受信装置を提供することを目的とする。
【課題を解決するための手段】
【０００８】
上記目的を達成するため、この発明の放送受信装置は、選局された放送局のアナログ放送波を受信するメインチューナーと、前記メインチューナーのバックグラウンドで動作して、前記メインチューナーで受信可能な放送局を探索し、前記受信可能な放送局が検出されると探索を停止するシーク動作を行うサブチューナーと、前記サブチューナーで受信されたアナログ放送信号の変調度の変化に基づいて放送内容を分類するサブ側制御部と、前記サブチューナーのシーク動作で検出された放送局を、前記サブ側制御部で分類された放送内容の分類ごとに前記メインチューナーに選局させるメイン側制御部と、を備えることを特徴とする。
【発明の効果】
【０００９】
この発明によれば、ＲＤＳ等のデータが多重されていないアナログ放送であっても、シーク機能により所望の局にたどり着くまでの時間を短縮することができるので、ユーザのわずらわしさや手間を軽減することができる。
【図面の簡単な説明】
【００１０】
【図１】実施の形態１における放送受信装置の構成を示すブロック図である。
【図２】実施の形態１におけるサブチューナー側の処理を示すフローチャートである。
【図３】局タイプごとのＩＦ信号の変調度の変化の一例を示す図である。
【図４】実施の形態１におけるステーションリストの一例を示すテーブルである。
【図５】実施の形態１におけるメインチューナー側の処理を示すフローチャートである。
【図６】実施の形態２におけるメインチューナー側の処理を示すフローチャートである。
【発明を実施するための形態】
【００１１】
以下、この発明の実施の形態について、図面を参照しながら詳細に説明する。
実施の形態１．
図１は、この発明の実施の形態１における放送受信装置の構成を示すブロック図である。この放送受信装置は、メインチューナー１、サブチューナー２、記憶部（メモリ）３、中央制御部（マイコン）４、アンプ５、表示部６、操作部７、スピーカ（音声出力部）８を備えており、ＲＤＳ等のデータが多重されていないアナログ信号のラジオ放送を受信する装置である。
【００１２】
メインチューナー１は、信号処理部１１を備え、選局された放送局のアナログ放送波を受信するものであり、入力されたＲＦ信号を処理するとともに、サブチューナー２に入力されたＲＦ信号情報を利用して、この放送受信装置におけるシークを行う。
【００１３】
サブチューナー２は、信号処理部２１を備え、入力されたＲＦ信号により従来と同様のシークをバックグラウンドで実施する。すなわち、メインチューナー１のバックグラウンドで動作して、メインチューナー１で受信可能な放送局を探索し、受信可能な放送局が検出されると探索を停止するシーク動作を行う。
【００１４】
記憶部（メモリ）３は、局タイプ、局クオリティ、プリセット周波数、選択頻度等の情報を記憶するとともに、後述するサブ側制御部４２により判定された局タイプや局クオリティに基づいて生成または更新されたステーションリストを記憶する記憶部である。
【００１５】
中央制御部（マイコン）４は、メイン側制御部４１、サブ側制御部４２、シーク反映情報選択部４３を備えており、サブ側制御部４２は、サブチューナー２にシーク動作を行わせ、受信されたアナログ信号の変調度の変化に基づいて放送内容を分類し、ステーションリストの生成または更新を行う。メイン側制御部４１は、サブチューナー２のシーク動作で検出された放送局を、サブ側制御部４２で分類された放送内容の分類ごとにメインチューナー１に選局させる。詳細については後述する。
【００１６】
また、シーク反映情報選択部４３は、サブ側制御部４２により生成または更新されたステーションリストの情報を記憶部（メモリ）３から取得し、メイン側制御部４１に受け渡すとともに、シークストップにおいてプリセットする周波数を記憶部（メモリ）３に記憶させる。
【００１７】
アンプ５は、メインチューナー１の信号処理部１１がアンテナから受信したＲＦ信号に基づいて、シーク処理が行われ、それにより選局された放送局のラジオ信号を信号処理部１１から受け取り、そのラジオ信号を増幅して、スピーカ（音声出力部）８に出力する。
【００１８】
表示部６には、例えばＬＣＤ（Ｌｉｑｕｉｄ  Ｃｒｙｓｔａｌ  Ｄｉｓｐｌａｙ）等の画面上に、シークによりストップした放送局や選択された放送局の周波数等が表示される。
操作部７は、ユーザの手動による指示を入力するもの、すなわち、ユーザによる局選択等の指示を受け付けるものである。
【００１９】
ここで、まず初めに、サブチューナー２側の処理の詳細について説明する。図２は、実施の形態１におけるサブチューナー２側の処理を示すフローチャートである。
サブチューナー２では、メインチューナー１のバックグラウンドでシークを実施しており、サーチをスタートすると、順番に周波数チェンジを行い（ステップＳＴ１）、受信されたアナログ放送信号に基づいて、サブ側制御部４２が、その周波数の局のクオリティを判定する（ステップＳＴ２）。
【００２０】
局のクオリティとは、局のアナログ放送信号の受信状態のことであり、この局のクオリティの判定は、例えば、電界強度、隣接ノイズ、マルチパスそれぞれについて判定して点数付けなどを行い、その総合点数が所定の値以上の局についてはクオリティが良好であると判定し、総合点数が所定の値未満の局についてはクオリティが良好でないと判定する。ここでは、所定の値として、７０点が設定されているものとする。
【００２１】
クオリティが良好でないと判定された場合（ステップＳＴ２のＮＯの場合）には、ステップＳＴ１に戻って周波数をチェンジし、次の局のクオリティの判定を行う。
一方、クオリティが良好であると判定された場合（ステップＳＴ２のＹＥＳの場合）には、その局で放送されている内容のタイプを推定（判断）する（ステップＳＴ３）。
【００２２】
なお、この実施の形態１では、局タイプ（その局で放送されている内容のタイプ）としては、「比較的激しい曲調の音楽」「比較的静かな曲調の音楽」「トーク」のいずれかであるものとする。そして、この局タイプをどのように推定（判断）するかについて、図３を参照しながら説明する。
【００２３】
図３は、局タイプごとのＩＦ信号の変調度の変化の一例を示す図である。図３（ａ）は局タイプが比較的激しい曲調の音楽、図３（ｂ）は局タイプが比較的静かな曲調の音楽、図３（ｃ）は局タイプがトークである場合の、サブチューナー２の信号処理部２１が取得したＩＦ信号の変調度を示している。
この図３に示すように、所定時間Ｔの区間内における変調度が、一定して振幅Ａを超えているか、一定して振幅Ａ以内におさまっているかにより局タイプを推定（判断）する。
【００２４】
すなわち、図３（ａ）に示すように、所定時間Ｔの区間内における変調度が一定して振幅Ａを超えているような場合には、局タイプは比較的激しい曲調の音楽であると推定（判断）し、図３（ｂ）に示すように、所定時間Ｔの区間内における変調度が一定して振幅Ａ以内におさまっているような場合には、局タイプは比較的静かな曲調の音楽であると推定（判断）する。
【００２５】
また、図３（ｃ）に示すように、所定時間Ｔの区間内における変調度が数回のみ振幅Ａを超えるような場合には、局タイプはトーク（ニュースやトーク番組など）であると推定（判断）する。なお、この場合には、所定時間Ｔの区間内に振幅０（ゼロ）である区間を含む場合に、局タイプをトークであると推定（判断）するようにしてもよい。
【００２６】
このようにして局タイプを推定（判断）したら、ステーションリストの更新を行う（ステップＳＴ４）。図４は、ステーションリストの一例を示す図であり、局タイプごとに分類してクオリティが良好であると判定された局の周波数が記憶されていることを示している。
【００２７】
すなわち、サブ側制御部４２は、ステップＳＴ４において、ステップＳＴ３で局タイプを推定（判断）したら、その局の周波数を、その局タイプのリストに追加してステーションリストの更新を行う。これにより、サブチューナー２で受信されたアナログ放送信号の変調度の変化に基づいて放送内容を分類し、ステーションリストの生成または更新を行う。
【００２８】
次に、メインチューナー１側の処理の詳細について説明する。この実施の形態１におけるメイン側制御部４１は、サブ側制御部４２において変調度の変化に基づいて放送内容を分類してリストアップしたステーションリストの情報を、シーク反映情報選択部４３経由で受け取ってメインチューナー１のシーク処理に反映させる。これにより、ＲＤＳ等のデータが多重されていないラジオ放送のシーク機能を、ユーザにとってわずらわしくなく利用できるようにする。
【００２９】
図５は、この実施の形態１におけるメインチューナー１側の処理を示すフローチャートである。
メイン側制御部４１は、まず初めに、シーク処理を局タイプごとに行うか否かを判断する（ステップＳＴ１１）。これは、予め設定されていてもよいし、ユーザが局タイプごとにシーク処理を行いたい場合には設定できるようにしてもよい。
【００３０】
そして、シーク処理は局タイプごとに行うという設定がされていた場合（ステップＳＴ１１のＹＥＳの場合）には、ユーザにより局タイプが選択されたか否かを判定する（ステップＳＴ１２）。ユーザは、操作部７を介して局タイプを選択することができる。
【００３１】
局タイプが選択されていない場合（ステップＳＴ１２のＮＯの場合）には、選択されるまで待ち、局タイプが選択されたら（ステップＳＴ１２のＹＥＳの場合）、メインチューナー１に順番に周波数チェンジを行わせ（ステップＳＴ１３）、その周波数の局のクオリティを判定する（ステップＳＴ１４）。
【００３２】
クオリティが良好でないと判定された場合（ステップＳＴ１４のＮＯの場合）には、ステップＳＴ１３に戻って周波数をチェンジし、次の局のクオリティの判定を行う。
一方、クオリティが良好であると判定された場合（ステップＳＴ１４のＹＥＳの場合）には、その局の周波数が、選択された局タイプのリストにある周波数か否かを判定する（ステップＳＴ１５）。
【００３３】
例えば、ステップＳＴ１２において局タイプが「トーク」と選択された場合には、ステップＳＴ１４においてクオリティが良好であると判定された局の周波数が、例えば図４に示すリストの中で局タイプが「トーク」のリストにある周波数か否かを判定し、リストの中にある周波数であった場合（ステップＳＴ１５のＹＥＳの場合）、メインチューナ−１にストップ（選局）させる（ステップＳＴ１６）。
【００３４】
なお、ステップＳＴ１２において局タイプが「トーク」と選択された時点で、局タイプが「トーク」である周波数のみのリストを内部的に作成したり、その局タイプの周波数のみのリストを表示部６に表示させるようにしてもよい。このようにすれば、ユーザが表示されたリストの中から局を選択することも可能となる。
また、局タイプが選択されるたびに、選択された回数を記憶部（メモリ）３に記憶するようにしてもよい。これにより、選択頻度が記憶される。
【００３５】
一方、ステップＳＴ１４においてクオリティが良好であると判定された局の周波数が、図４に示す「トーク」のリストには含まれていなかった場合（ステップＳＴ１５のＮＯの場合）には、ステップＳＴ１３に戻って周波数をチェンジし、ステップＳＴ１３以降の処理を繰り返す。
【００３６】
なお、シーク処理を局タイプごとに行うという設定がされていなかった場合（ステップＳＴ１１のＮＯの場合）には、周波数をチェンジして（ステップＳＴ２１）、その周波数の局のクオリティを判定し（ステップＳＴ２２）、クオリティが良好であれば（ステップＳＴ２２のＹＥＳの場合）、メインチューナー１にストップ（選局）させ（ステップＳＴ２３）、クオリティが良好でなければ（ステップＳＴ２２のＮＯの場合）、ステップＳＴ２１に戻って処理を繰り返す、という従来どおりのシーク処理を行う。
【００３７】
このように、まずはサブチューナー２において通常のシーク動作を行って、サブチューナー２で受信されたアナログ放送信号の変調度の変化に基づいて放送内容を分類してリストアップしておくことにより、より放送内容にあった分類わけをすることができ、メインチューナー１ではその分類結果ごとにシークを行って選局することにより、放送局が多い地域においてＲＤＳ等のデータが多重されていないアナログ放送であっても、ユーザは所望する局タイプ以外の局にストップしてしまうような不本意なシークストップを避けることができるので、シーク機能により所望の局にたどり着くまでの時間を短縮することができる。
【００３８】
以上のように、この実施の形態１によれば、ＲＤＳ等のデータが多重されていないアナログ放送であっても、シーク機能により所望の局にたどり着くまでの時間を短縮することができるので、ユーザのわずらわしさや手間を軽減することができる。
【００３９】
実施の形態２．
この発明の実施の形態２における放送受信装置の構成を示すブロック図は、実施の形態１において示した図１と同じであるため、図示および説明を省略する。以下に示す実施の形態２では、メインチューナー１におけるシーク処理を、間引きシークで行うものである。
【００４０】
図６は、この実施の形態２におけるメインチューナー１側の処理を示すフローチャートである。
この実施の形態２におけるメインチューナー１も、サブチューナー２で受信されたアナログ放送信号の変調度の変化に基づいて放送内容を分類してリストアップしたステーションリストの情報を、シーク処理に反映させることにより、ＲＤＳ等のデータが多重されていないラジオ放送のシーク機能を、ユーザにとってわずらわしくなく利用できるようにする点においては、実施の形態１と同じである。
【００４１】
ただし、この実施の形態２では、サブ側制御部４２においてリストアップされたステーションリストの情報のうち、例えば局クオリティの総合点数が上位２０局のものに限ってシークストップさせることにより、所望の局にたどり着くまでの時間を短縮するものである。
【００４２】
すなわち、サブチューナー２側の処理については、変調度の変化に基づいて放送内容を分類してリストを更新するところまでは、実施の形態１の図２に示すフローチャートと同じであるので、図示および説明を省略するが、実施の形態２におけるサブ側制御部４２は、サブチューナー２で受信されたアナログ放送信号の受信状態に基づいて、受信状態が良好な上位の放送局を選別する。
【００４３】
そして、この実施の形態２におけるメイン側制御部４１は、サブ側制御部４２が選別した放送局を優先してメインチューナー１に選局させるものである。
メイン側制御部４１は、まず初めに、シーク処理を間引きシークで行うか否かを判断する（ステップＳＴ３１）。これは、予め設定されていてもよいし、ユーザが間引きシークを行いたい場合にはそのように設定できるようにしてもよい。
【００４４】
そして、シーク処理を間引きシークで行うという設定がされていた場合（ステップＳＴ３１のＹＥＳの場合）には、ユーザによりストップ数（例えば、１０、２０など、局クオリティの総合点数が上位いくつまでをシークストップさせるかという数）が指定されたか否かを判定する（ステップＳＴ３２）。
【００４５】
この際、ユーザは、操作部７を介して、予め設定された複数のストップ数の中から１つを選択（例えば、１０、２０、３０の３つのストップ数から選択）することにより指定してもよいし、直接ストップ数を入力することにより指定するようにしてもよい。
なお、ここでは「２０」がストップ数として指定されたものとして説明する。
【００４６】
ストップ数が指定されていない場合（ステップＳＴ３２のＮＯの場合）には、指定されるまで待ち、ストップ数が指定されたら（ステップＳＴ３２のＹＥＳの場合）、そのストップ数（ここでは、２０）のリスト、すなわち、例えば図４に示すリストの中に５０局分の周波数が含まれていた場合であっても、局クオリティが上から２０位までの周波数のものだけを抽出したストップリストを内部的に作成する（ステップＳＴ３３）。なお、図４に示すリストに含まれる局が２０未満である場合には、すべての局がストップリストに含まれることになる。
【００４７】
その後、メインチューナー１に順番に周波数チェンジを行わせ（ステップＳＴ３４）、その周波数の局のクオリティを判定する（ステップＳＴ３５）。
局クオリティ（局のアナログ放送信号の受信状態）の判定は、例えば、電界強度、隣接ノイズ、マルチパスそれぞれについて判定して点数付けなどを行い、その総合点数が所定の値以上の局についてはクオリティが良好であると判定し、総合点数が所定の値未満の局についてはクオリティが良好でないと判定する。ここでは、所定の値として、７０点が設定されているものとする。
【００４８】
クオリティが良好でないと判定された場合（ステップＳＴ３５のＮＯの場合）には、ステップＳＴ３４に戻って周波数をチェンジし、次の局のクオリティの判定を行う。
一方、クオリティが良好であると判定された場合（ステップＳＴ３５のＹＥＳの場合）には、その局の周波数が、ステップＳＴ３３で内部的に作成したストップリストにある周波数か否かを判定する（ステップＳＴ３６）。
そして、ストップリストの中にある周波数であった場合（ステップＳＴ３６のＹＥＳの場合）には、メインチューナー１にストップ（選局）させる（ステップＳＴ３７）。
【００４９】
一方、ステップＳＴ３５においてクオリティが良好であると判定された局の周波数が、ストップリストには含まれていなかった場合（ステップＳＴ３６のＮＯの場合）には、その局のクオリティが、ストップリストの局以上のクオリティであるか否かを判定する（ステップＳＴ３８）。
【００５０】
ここでは、ステップＳＴ３５の局クオリティの判定において使用された閾値（所定の値）よりも高い値を所定の閾値としておく。例えば、ステップＳＴ３５の判定において使用された７０点という所定の値よりも高い値である９０点を、ステップＳＴ３８の判定を行うための所定の閾値とすると、局クオリティの総合点数が９０点以上のものを、ストップリストの局以上のクオリティであると判定し、９０点未満のものは、ストップリストの局以上のクオリティではないと判定する。
【００５１】
そして、局クオリティがストップリストの局以上のクオリティであると判定された場合（ステップＳＴ３８のＹＥＳの場合）には、ストップリストを更新し（ステップＳＴ３９）、メインチューナー１にストップ（選局）させる（ステップＳＴ４０）。
【００５２】
ストップリストの更新とは、ステップＳＴ３３において内部的に作成したストップリストに、現在の局の周波数を追加するとともに、もっとも局クオリティの低い（２０位でストップリストに入っていた）周波数を削除することにより、クオリティが上位２０局のストップリストを更新することである。
【００５３】
このように、ストップリストに含まれていなくても、そこに含まれる局のクオリティ以上の局クオリティの周波数についてはストップリストに追加することにより、例えば車載の放送受信装置のように、局クオリティが頻繁に変化するような場合に、サブチューナー２の処理がたとえ遅れたとしても、リアルタイムに上位２０局の周波数をストップリストに反映させることができる。
【００５４】
一方、ステップＳＴ３８において、局クオリティが、ストップリストの局以上のクオリティではないと判定された場合（ステップＳＴ３８のＮＯの場合）には、ステップＳＴ３４に戻って周波数をチェンジし、ステップＳＴ３４以降の処理を繰り返す。
【００５５】
なお、シーク処理を間引きシークで行うという設定がされていなかった場合（ステップＳＴ３１のＮＯの場合）には、周波数をチェンジして（ステップＳＴ２１）、その周波数の局のクオリティを判定し（ステップＳＴ２２）、クオリティが良好であれば（ステップＳＴ２２のＹＥＳの場合）、ストップ（選局）し（ステップＳＴ２３）、クオリティが良好でなければ（ステップＳＴ２２のＮＯの場合）、ステップＳＴ２１に戻って処理を繰り返す、という従来どおりのシーク処理を行う。
【００５６】
このように、まずはサブチューナー２において変調度の変化に基づいて放送内容を分類してリストアップしておき、メインチューナー１ではそのリストに含まれる局のうちシークストップさせるストップ数（例えば２０局）に限定してシークを行うことにより、放送局が多い地域においてＲＤＳ等のデータが多重されていないアナログ放送であっても、予め設定されたストップ数に限定して電波の状態（受信状態）のよいものだけを抽出してシークストップさせるため、ユーザは受信状態のよい限られた数以外のシークストップを避けることができるので、シーク機能により所望の局にたどり着くまでの時間を短縮することができる。
【００５７】
なお、この実施の形態２では、シークストップさせる条件としては、受信状態のよい限られた数の局（ここでは２０局）に限定するものとして説明したが、数のみではなく、視聴履歴を判定条件の一部として用いるようにしてもよい。すなわち、視聴された局（視聴履歴）を記憶部（メモリ）３に記憶させるようにし、サブ側制御部４２においてリストアップされたリストの中で、視聴履歴が所定の回数以上である局の周波数は、優先的にストップリストに入れるようにしてもよい。
【００５８】
以上のように、この実施の形態２によれば、ＲＤＳ等のデータが多重されていないアナログ放送であっても、シーク機能により所望の局にたどり着くまでの時間を短縮することができるので、ユーザのわずらわしさや手間を軽減することができる。
【００５９】
なお、メインチューナー１およびメイン側制御部４１が、以上の実施の形態１，２の両方の機能を備えるようにしてもよい。すなわち、処理の最初に、シーク処理が局タイプごとか、間引きシークか、そのいずれでもないか、という判断を行うようにして、実施の形態１および２の両方の処理を含むようにしてもよい。
【００６０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６１】
１  メインチューナー、２  サブチューナー、３  記憶部（メモリ）、４  中央制御部（マイコン）、５  アンプ、６  表示部、７  操作部、８  スピーカ（音声出力部）、１１  メインチューナー１の信号処理部、２１  サブチューナー２の信号処理部、４１  メイン側制御部、４２  サブ側制御部、４３  シーク反映情報選択部。
【図１】
2015089075.tif 000003
【図２】
2015089075.tif 000004
【図３】
2015089075.tif 000005
【図４】
2015089075.tif 000006
【図５】
2015089075.tif 000007
【図６】
2015089075.tif 000008